(57)【要約】【課題】自営網システムにおいて一斉着信時に各子機の電池残量を容易に報知できる自営網システム、自営網システムの親機及び子機を提供する。【解決手段】外部からの着信時に、親機１の記憶部１３に記憶された鳴動音量設定が各子機の電池残量に応じた音量で着信音を鳴動させる設定であった場合には、親機１の制御部１４は、各子機２−１〜２−ｎにそれぞれの電池残量に応じた音量で着信音を鳴動させる音量情報を各子機２−１〜２−ｎに対して送信し、各子機２−１〜２−ｎの制御部２７は、音量情報を基に、それぞれの電池容量に応じた音量で着信音を報知部２４により鳴動させる。【選択図】図４
2008187543.tif 000002
【特許請求の範囲】
【請求項１】
電話通信網と接続された１台の親機と、複数の子機を有する自営網システムであって、
前記親機は、
前記複数の子機との無線通信を行う第１無線通信部と、
第１制御部と、
を有し、
前記子機は、
前記親機との無線通信を行う第２無線通信部と、
電池と、
前記電池の残量を測定する電池残量測定部と、
第２制御部と、
前記第２制御部の制御により音量の調節が可能である着信音を着信時に鳴動させる報知部と、
を有し、
前記親機に前記電話通信網より着信があった場合に、
前記複数の子機の前記第２制御部は、前記電池残量測定部が測定した電池残量に関する電池残量情報を前記第２無線通信部を介して前記親機に送信し、
前記第１無線通信部により前記電池残量情報を受信した前記親機の前記第１制御部は、受信した前記複数の子機の前記電池残量情報を基に、電池残量に応じた音量で着信音を鳴動させるように前記子機の前記報知部を制御するための音量情報を生成し、当該音量情報を前記第１無線通信部を介して前記複数の子機にそれぞれの電池残量に応じた前記音量情報を前記着信に関する着信情報とともに送信し、
前記第２無線通信部により前記音量情報と前記着信情報とを受信した前記子機の第２制御部は、受信した前記音量情報により指定された音量で前記報知部に着信音を鳴動させる
ことを特徴とする自営網システム。
【請求項２】
前記親機は、記憶部をさらに有し、
前記親機の前記記憶部は、前記電話通信網からの着信時に前記子機の前記報知部に電池残量に応じた音量で着信音を鳴動させる設定と、そうでない設定とに関する設定情報を記憶し、
前記親機の前記第１制御部は、前記着信時に、前記複数の子機の前記第２制御部が、電池残量を測定し、電池残量情報を前記第２無線通信部を介して前記親機に送信するより以前に、前記設定情報が電池残量に応じた音量で着信音を鳴動させる設定であった場合に、電池残量に応じた音量で着信音を鳴動させる命令を含む前記着信情報を前記第１無線通信部を介して送信する
ことを特徴とする請求項１に記載の自営網システム。
【請求項３】
前記親機の前記第１制御部は、前記複数の子機の前記電池残量情報を参照し、電池残量が所定のしきい値より多い子機が存在する場合に、最も電池残量が多い子機には当該子機の前記報知部に最大音量で着信音を鳴動させ、前記最も電池残量が多い子機以外の子機には電池残量に応じた音量で着信音を鳴動させる
ことを特徴とする請求項１または２に記載の自営網システム。
【請求項４】
自営網システムが有する、電話通信網と接続された親機であって、
前記自営網システムが有する複数の子機との無線通信を行う無線通信部と、
制御部と、
を有し、
前記制御部は、前記電話通信網からの着信時に、前記複数の子機から前記無線通信部を介して取得した前記電池残量情報を基に、前記子機に電池残量に応じた音量で着信音を鳴動させるための音量情報を生成し、当該音量情報を前記無線通信部を介して前記複数の子機にそれぞれの電池残量に応じた前記音量情報を前記着信に関する着信情報とともに送信する
自営網システムの親機。
【請求項５】
自営網システムが有する子機であって、
前記自営網システムが有する、電話通信網と接続された親機との無線通信を行う無線通信部と、
電池と、
前記電池の残量を測定する電池残量測定部と、
制御部と、
前記制御部の制御により音量の調節が可能である着信音を前記着信時に鳴動させる報知部と、
を有し、
前記親機に前記電話通信網より着信があった場合に、
前記制御部は、前記電池残量測定部が測定した電池残量に関する電池残量情報を前記無線通信部を介して前記親機に送信し、
前記無線通信部が、前記親機が作成した電池残量に応じた音量で着信音を鳴動させるように前記子機の前記報知部を制御するための音量情報と前記着信情報とを受信した場合に、前記制御部は、受信した前記音量情報に基づき指定された音量で前記報知部を鳴動させる
ことを特徴とする自営網システムの子機。
【発明の詳細な説明】
【技術分野】
【０００１】
本発明は、親機と複数の子機とを有し、親機への着信を子機で受信することができる自営網システム、自営網システムの親機及び子機に関する。
【背景技術】
【０００２】
複数の携帯型無線端末（子機）と、親機とで構成された自営網システムは、従来からオフィス等においてよく利用されている。
自営網システムでは、外線（自営網システム外部からの着信）が親機に着信した場合、当該着信は各子機に転送され、各子機において着信報知（ベル鳴動等）が行われる。これを一斉着信という。一斉着信時に、着信報知を行っている子機のうち１つにおいて受信動作（受話器を取り上げる動作等）がなされると、当該子機が外線の発信元と通話状態になり、他の子機の報知は終了する。
【０００３】
このような自営網システムを構成する複数の子機の電池残量は一定ではなく、子機ごとに使用頻度に応じて電池残量が異なっている場合が多い。すなわち、あまり使用されていない子機の電池残量は、よく使用された子機の電池残量と比較して多く残っている。
したがって、ユーザが偶々電池残量の少ない子機を使用した場合に、使用中に子機の電池が切れてしまい、通話が不可能となってしまう恐れがあった。
【０００４】
このような事態を回避する技術として、例えば特許文献１に開示された技術がある。
【特許文献１】特開２００２−５１１２２号公報
【発明の開示】
【発明が解決しようとする課題】
【０００５】
特許文献１には、携帯型通信機の電源に用いられる電池の出力電圧を監視し、前記出力電圧値を着信音の変化によってユーザに報知する電池残量報知装置が開示されている。
しかし、特許文献１に開示された技術は、自営網システムのような複数の端末が存在するシステムに適用することは想定されていない。すなわち、複数の子機がそれほど距離をおかずに配置されているような場合には、一斉着信時に複数の子機が同時に異なる着信音で鳴動したとしても、複数の着信音が混ざり合ってしまい、どの子機がどの着信音で鳴動しているのか、どの子機の電池残量が少なくなっているのかがユーザに認知されない、という不利益が生じうる。
【０００６】
本発明は、上述した不利益を解消するために、自営網システムにおいて一斉着信時に各子機の電池残量を容易に報知できる自営網システム、自営網システムの親機及び子機を提供することを目的とする。
【課題を解決するための手段】
【０００７】
上述した目的を達成するために、第１の発明の自営網システムは、電話通信網と接続された１台の親機と、複数の子機を有する自営網システムであって、前記親機は、前記複数の子機との無線通信を行う第１無線通信部と、第１制御部と、を有し、前記子機は、前記親機との無線通信を行う第２無線通信部と、電池と、前記電池の残量を測定する電池残量測定部と、第２制御部と、前記第２制御部の制御により音量の調節が可能である着信音を着信時に鳴動させる報知部と、を有し、前記親機に前記電話通信網より着信があった場合に、前記複数の子機の前記第２制御部は、前記電池残量測定部が測定した電池残量に関する電池残量情報を前記第２無線通信部を介して前記親機に送信し、前記第１無線通信部により前記電池残量情報を受信した前記親機の前記第１制御部は、受信した前記複数の子機の前記電池残量情報を基に、電池残量に応じた音量で着信音を鳴動させるように前記子機の前記報知部を制御するための音量情報を生成し、当該音量情報を前記第１無線通信部を介して前記複数の子機にそれぞれの電池残量に応じた前記音量情報を前記着信に関する着信情報とともに送信し、前記第２無線通信部により前記音量情報と前記着信情報とを受信した前記子機の第２制御部は、受信した前記音量情報により指定された音量で前記報知部に着信音を鳴動させる。
【０００８】
第２の発明の自営網システムの親機は、自営網システムが有する、電話通信網と接続された親機であって、前記自営網システムが有する複数の子機との無線通信を行う無線通信部と、制御部と、を有し、前記制御部は、前記電話通信網からの着信時に、前記複数の子機から前記無線通信部を介して取得した前記電池残量情報を基に、前記子機に電池残量に応じた音量で着信音を鳴動させるための音量情報を生成し、当該音量情報を前記無線通信部を介して前記複数の子機にそれぞれの電池残量に応じた前記音量情報を前記着信に関する着信情報とともに送信する。
【０００９】
第３の発明の自営網システムの子機は、自営網システムが有する子機であって、前記自営網システムが有する、電話通信網と接続された親機との無線通信を行う無線通信部と、電池と、前記電池の残量を測定する電池残量測定部と、制御部と、前記制御部の制御により音量の調節が可能である着信音を前記着信時に鳴動させる報知部と、を有し、前記親機に前記電話通信網より着信があった場合に、前記制御部は、前記電池残量測定部が測定した電池残量に関する電池残量情報を前記無線通信部を介して前記親機に送信し、前記無線通信部が、前記親機が作成した電池残量に応じた音量で着信音を鳴動させるように前記子機の前記報知部を制御するための音量情報と前記着信情報とを受信した場合に、前記制御部は、受信した前記音量情報に基づき指定された音量で前記報知部を鳴動させる。
【発明の効果】
【００１０】
本発明によれば、自営網システムにおいて一斉着信時に各子機の電池残量を容易に報知できる自営網システム、自営網システムの親機及び子機を提供することができる。
【発明を実施するための最良の形態】
【００１１】
以下、本実施形態の自営網システム１００について説明する。
図１は、自営網システム１００の構成例を示す図である。
図１に示すように、自営網システム１００は、親機１、子機２−１〜２−ｎ（ｎは自然数）を有する。
親機１は、図１に図示しない電話通信網と通信を行う電話機である。
親機１は、電話通信網と通信を行い、着信或いは発信を行うことができる。
親機１は、後述する子機２−１〜２−ｎと無線通信により接続されており、電話通信網を介して外部より着信があった場合には、後述する子機２−１〜２−ｎに当該着信を転送する。
【００１２】
子機２−１〜２−ｎは、親機１と無線通信により接続された無線通信端末である。
子機２−１〜２−ｎは、親機１において電話通信網を介して外部より着信があった場合には、無線通信を介して着信情報を受信し、報知動作（着信音鳴動等）を行う。
【００１３】
次に、親機１の構成の一例について説明する。
図２は、親機１の構成例を示すブロック図である。
図２に示すように、親機１は、通信部１１、無線通信部１２、記憶部１３、制御部１４を有する。
通信部１１は、例えば電話通信網と有線接続されており、当該電話通信網との各種通信処理（発信、着信処理等）を行う。
無線通信部１２は、各子機２−１〜２−ｎと無線通信を行い、各種情報の送受信を行う。各種情報とは、例えば、親機１に外部から着信があったとき、子機２−１〜２−ｎで受信することができるように、子機２−１〜２−ｎに送信する、発信元の電話番号等を含む着信情報や、子機２−１〜２−ｎのいずれかから外部に発信をする際に子機２−１〜２−ｎのいずれかから送信される発信先の情報を含む発信情報等である。
記憶部１３は、親機１の各種動作時に使用される各種データを記憶する。
制御部１４は、親機１の各種動作を制御する。各種動作とは、外部からの着信を子機２−１〜２−ｎのいずれかに転送する着信動作や、子機２−１〜２−ｎのいずれかからの発信情報を基に外部への発信を行う発信動作等である。
【００１４】
次に、子機２−１〜２−ｎの構成の一例について説明する。
なお、子機２−１〜２−ｎのそれぞれは同じ構成を有しているため、以下では一例として子機２−１の構成について説明する。
図３は、子機２−１の構成の一例を示すブロック図である。
図３に示すように、子機２−１は、無線通信部２１、記憶部２２、操作部２３、報知部２４、電池２５、電池残量測定部２６、制御部２７を有する。
【００１５】
無線通信部２１は、親機１と無線通信を行い、各種情報の送受信を行う。
記憶部２２は、子機２−１の各動作に使用する各種情報を記憶する。
操作部２３は、テンキー等の入力デバイスであり、ユーザの操作を受け付ける。
報知部２４は、所定のタイミングでユーザに対する報知を実行する。所定のタイミングとは、例えば外部から親機１に着信があり、その着信情報が子機２−１に転送されてきたタイミングである。報知部２４は、例えば、着信音の鳴動により報知を実行する。
【００１６】
電池２５は、子機２−１の電源となる電池である。
電池残量測定部２６は、電池２５の残量を測定する。電池残量の測定方法については本発明では限定しない。既存の技術を利用する事ができる。
制御部２７は、子機２−１の各種動作を制御する。
【００１７】
次に、自営網システム１００の外部からの着信時の動作例について説明する。
図４は、自営網システム１００の外部からの着信時の動作例を示すフローチャートである。
以下、親機１と子機２−１〜２−ｎのそれぞれの動作を、動作の順番に沿って説明する。
【００１８】
ステップＳＴ１１：
親機１の通信部１１は、外部の電話通信網より着信を受信する。
ステップＳＴ１２：
親機１の制御部１４は、記憶部１３を参照して、鳴動音量設定を確認する。
鳴動音量設定とは、あらかじめユーザ等によってなされ、記憶部１３に記憶された、外部からの着信時の子機の着信音の音量に関する設定であり、外部からの着信を各子機に転送した時、各子機の電池残量に応じた音量で着信音を鳴動させる設定と、各子機にあらかじめ設定された音量で着信音を鳴動させる設定とがある。
本ステップＳＴ１２では、鳴動音量設定が各子機の電池残量に応じた音量で着信音を鳴動させる設定であった場合には、ステップＳＴ１３に進み、各子機にあらかじめ設定された音量で着信音を鳴動させる設定であった場合には、ステップＳＴ１４に進む。
【００１９】
ステップＳＴ１３：
ステップＳＴ１２において、子機の鳴動音量設定が各子機の電池残量に応じた音量で着信音を鳴動させる設定であったことが確認された場合、親機１の制御部１４は、無線通信部１２を介して電池残量に応じた音量で着信音を鳴動させる命令を含む着信情報をすべての子機２−１〜２−ｎに送信する。
なお、着信情報は、ステップＳＴ１１においてあった外部よりの着信に関する情報であり、発信元の電話番号等を含む情報である。
ステップＳＴ１４：
ステップＳＴ１２において、各子機にあらかじめ設定された音量で着信音を鳴動させる設定であったことが確認された場合、親機１の制御部１４は、無線通信部１２を介して電池残量に応じた音量で着信音を鳴動させる命令を含まない着信情報をすべての子機２−１〜２−ｎに送信する。
【００２０】
ステップＳＴ２１：
子機２−１〜２−ｎの無線通信部２１は、ステップＳＴ１３或いは１４において親機から送信された着信情報を受信し、記憶部２２に記憶させる。
ステップＳＴ２２：
子機２−１〜２−ｎの制御部２７は、ステップＳＴ２１において受信した着信情報に、電池残量に応じた音量で着信音を鳴動させる命令が含まれているか否かを確認する。
電池残量に応じた音量で着信音を鳴動させる命令が着信情報に含まれていた場合は、ステップＳＴ２３に進み、そうでない場合はステップＳＴ２７に進む。
【００２１】
ステップＳＴ２３：
ステップＳＴ２２において、着信情報中に電池残量に応じた音量で着信音を鳴動させる命令が含まれていることが確認された場合、子機２−１〜２−ｎの電池残量測定部２６は、それぞれの電池２５の残量を測定する。
ステップＳＴ２４：
子機２−１〜２−ｎの制御部２７は、ステップＳＴ２３において電池残量測定部２６が測定したそれぞれの電池２５の電池残量を電池残量情報として、無線通信部２１を介して親機１に送信する。
【００２２】
ステップＳＴ１５：
親機１の無線通信部１２は、ステップＳＴ２４において子機２−１〜２−ｎから送信された電池残量情報を受信し、記憶部１３に記憶させる。
ステップＳＴ１６：
親機１の制御部１４は、ステップＳＴ１５において受信した子機２−１〜２−ｎの電池残量情報を確認し、電池残量が所定のしきい値を超える子機が存在する場合はステップＳＴ１７に進み、電池残量が所定のしきい値を超える子機が存在しない場合はステップＳＴ２７に進む。
ステップＳＴ１７：
親機１の制御部１４は、ステップＳＴ１６で確信した電池残量情報を基に、各子機に鳴動させる着信音の音量を指定するための情報である音量情報を子機ごとに作成し、無線通信部１２を介して作成した音量情報を対応する子機に送信する。
【００２３】
ステップＳＴ２５：
子機２−１〜２−ｎの無線通信部２１は、ステップＳＴ１７において親機１から送信された音量情報を受信し、記憶部２２に記憶させる。
ステップＳＴ２６：
子機２−１〜２−ｎの各制御部２７は、ステップＳＴ２５において親機１から受信した音量情報に応じた音量で、報知部２４に着信音を鳴動させる。
ステップＳＴ２７：
子機２−１〜２−ｎの各制御部２７は、あらかじめ設定され記憶部２２に記憶されていた音量で、報知部２４に着信音を鳴動させる。
【００２４】
上述したように、本実施形態の自営網システム１００では、外部からの着信時に、鳴動音量設定が各子機の電池残量に応じた音量で着信音を鳴動させる設定であった場合には、各子機２−１〜２−ｎにそれぞれの電池残量に応じた音量で着信音を鳴動させるので、複数の子機２−１〜２−ｎのうちどの子機の電池残量が多いのかをユーザに容易に知らせることができる。
【００２５】
次に、子機２−１〜２−ｎの電池２５の残量に応じた音量の具体的な決定方法について説明する。
図５は、各子機２−１〜２−５の電池残量と着信音量との関係を説明するための図である。
図５では、複数の子機の一例として、子機が２−１〜２−５の５台である場合について説明している。
【００２６】
図５（ａ）は、各子機２−１〜２−５の電池２５の残量を示している。
図５（ａ）では、各子機の電池残量を便宜的に０〜６までの７段階で示している。
図５（ａ）に示すように、子機２−１の電池残量は１、子機２−２の電池残量は５、子機２−３の電池残量は３、子機２−４の電池残量は４、子機２−５の電池残量は３である。
【００２７】
図５（ｂ）は、図５（ａ）に示した電池残量に対応した着信音量の一例を示している。
図５（ｂ）に示すように、例えば各子機の報知部２４が鳴らす着信音の音量が０〜６の７段階あるとする。
上述した図４のフローチャートのステップＳＴ１７において説明したように、親機１の制御部１４は、図５（ａ）に示す電池残量を基に、それぞれの子機の音量を決定する。
具体的には、親機１の制御部１４は、所定のしきい値（ここでは、仮に図５（ａ）における電池残量３をしきい値とする）よりも大きい電池残量を有する子機が存在する場合（図５（ａ）の場合子機２−２及び２−４）、すべての子機の中で最も多い電池残量を有する子機には最大音量の着信音を鳴動させ、それ以外の子機にはそれぞれの電池残量に比例した音量の着信音を鳴動させる。
すなわち、図５（ｂ）に示すように、仮に各子機の報知部２４が鳴らす着信音の音量が０〜６の７段階あったとすると、子機２−１に鳴動させる着信音量は１、子機２−２に鳴動させる着信音量は、子機２−２の電池残量が子機２−１〜２−５の中で最大であったので最大の６、子機２−３に鳴動させる着信音量は３、子機２−４に鳴動させる着信音量は４、子機２−５に鳴動させる着信音量は３である。
なお、しきい値はあらかじめ設定され記憶部１３に記憶されていてもよいし、ユーザにより自由に設定できるようにしてもよい。
【００２８】
このようにすることにより、最も電池残量が多い子機が最大音量の着信音を鳴らすので、例えば同じ部屋に複数の子機２−１〜２−ｎが設定してあった場合でも、最も電池残量が多い子機がどれかを容易に知ることができる。
【００２９】
なお、図５（ｃ）に示すように、親機１の制御部１４は、所定のしきい値よりも大きい電池残量を有する子機が存在しない場合には、すべての子機に電池残量に比例した音量の着信音を鳴動させる。
図５（ｃ）は、電池残量がしきい値より多い子機が存在しない場合の子機２−１〜２−５の電池残量を示す図であり、子機２−１の電池残量は２、子機２−２の電池残量は１、子機２−３の電池残量は１、子機２−４の電池残量は３、子機２−５の電池残量は２である。
この場合、親機１の制御部１４は、図５（ｄ）に示すように、子機２−１には２、子機２−２には１、子機２−３には１、子機２−４には３、子機２−５には２の音量で着信音を鳴動させる。
【００３０】
なお、上述した子機の電池残量と着信音量との具体例では、しきい値以上の最大の電池残量を有する子機以外は、電池残量に比例した音量の着信音を鳴動させていたが、本発明はこれには限定されず、電池残量に応じた音量の着信音を鳴動させるようにすればよい。すなわち、例えば、電池残量０からαまでは１の音量で、電池残量αからβまでは２の音量で、というように、必ずしも比例している必要はなく、電池残量に応じた音量で着信音を鳴動させるようにすればよい。
【００３１】
また、親機１の制御部１４は、複数の子機２−１〜２−ｎの電池残量情報だけでなく、他の要素をも鑑みて音量情報を作成してもよい。すなわち、例えば、親機１は図１に図示しないマイク等を有し、外部の雑音レベルを取得し、雑音レベルに応じて音量情報を作成してもよい。具体的には、雑音レベルが高い時には子機２−１〜２−ｎの各報知部２４に音量を１段階上げた着信音を鳴動させる音量情報を作成すればよい。
或いは、親機１の制御部１４は、時間帯や曜日を考慮して音量情報を作成するようにしてもよい。具体的には、人が多くなると予想される時間帯（平日昼間等）は子機２−１〜２−ｎの各報知部２４に音量を１段階上げた着信音を鳴動させる音量情報を作成し、人が少なくなると予想される時間帯（休日、夜間等）は子機２−１〜２−ｎの各報知部２４に音量を１段階下げた着信音を鳴動させる音量情報を作成するようにすればよい。
【００３２】
以上説明したように、本実施形態の自営網システム１００によれば、外部からの着信時に、親機１の記憶部１３に記憶された鳴動音量設定が各子機の電池残量に応じた音量で着信音を鳴動させる設定であった場合には、親機１の制御部１４は、各子機２−１〜２−ｎにそれぞれの電池残量に応じた音量で着信音を鳴動させる音量情報を各子機２−１〜２−ｎに対して送信し、各子機２−１〜２−ｎの制御部２７は、音量情報を基に、それぞれの電池容量に応じた音量で着信音を報知部２４により鳴動させるので、複数の子機２−１〜２−ｎのうちどの子機の電池残量が多いのかをユーザに容易に知らせることができる。したがって、電池残量が多い子機からの使用を促すことが可能であるため、複数の子機の使用状況を均一化させ、老朽度合いの平均化を図ることができる。
【００３３】
さらに、親機１の制御部１４は、電池残量が所定のしきい値よりも大きい子機が存在する場合には、最も電池残量が多い子機には最大音量で着信音を鳴動させ、それ以外の子機には電池残量に応じた音量で着信音を鳴動させるように音量情報を作成するので、最も電池残量が多い子機を容易にユーザに知らせることができる。
【００３４】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【図面の簡単な説明】
【００３５】
【図１】図１は、自営網システム１００の構成例を示す図である。
【図２】図２は、親機１の構成例を示すブロック図である。
【図３】図３は、子機２−１の構成の一例を示すブロック図である。
【図４】図４は、自営網システム１００の外部からの着信時の動作例を示すフローチャートである。
【図５】図５は、各子機２−１〜２−５の電池残量と着信音量との関係を説明するための図である。
【符号の説明】
【００３６】
１００…自営網システム、１…親機、１１…通信部、１２…無線通信部（第１無線通信部）、１３…記憶部、１４…制御部（第１制御部）、２…子機、２１…無線通信部（第２無線通信部）、２２…記憶部、２３…操作部、２４…報知部、２５…電池、２６…電池残量測定部、２７…制御部（第２制御部）
【図１】
2008187543.tif 000003
【図２】
2008187543.tif 000004
【図３】
2008187543.tif 000005
【図４】
2008187543.tif 000006
【図５】
2008187543.tif 000007